(57)【要約】【課題】小型化が可能であり、カードの収集および収容状況の点検のための作業を簡略化することが可能なカード分別収容装置を提供する。【解決手段】ＯＫカード１０ａとＮＧカード１０ｂを搬送する搬送路２１５の終端部２１５ｅ近傍には、これらのカードを収容する分別収容部１００が設けられている。分別収容部１００は、記録印刷装置２００に固定された駆動機構１７０と、記録印刷装置２００から着脱自在なスタッカ機構１０６とを備えている。このうち、スタッカ機構１０６は、ＯＫカード１０ａを収容するスタッカ１１０Ａと、スタッカ１１０Ａの内部において回動自在に支持され、ＮＧカード１０ｂを収容するスタッカ１１０Ｂと、スタッカ１１０Ｂを回動するスタッカレバー１４０を有している。【選択図】　　　　図３
2004059200.tif 000002
【特許請求の範囲】
【請求項１】
第１または第２属性のいずれかであることを判別されたカードを搬送する搬送路の終端に設けられ、搬送されたカードが第１属性である場合に、当該カードを収容する第１の収容手段と、
前記搬送路を通して搬送されたカードが第２属性である場合に、当該カードが前記第１の収容手段に収容されるのを、前記搬送路の終端近傍において阻害する阻害機構と、
前記阻害機構により阻害されたカードを収容する第２の収容手段と
を備えることを特徴とするカード分別収容装置。
【請求項２】
前記第２の収容手段は、前記第１の収容手段の上方において、前記第１の収容手段に対して回動自在に支持され、
前記阻害機構は、前記第２の収容手段を回動させる
ことを特徴とする請求項１に記載のカード分別収容装置。
【請求項３】
前記阻害機構は、搬送されたカードが第２属性である場合に、当該カードが前記第２の収容手段に収容されるように案内する
ことを特徴とする請求項１に記載のカード分別収容装置。
【発明の詳細な説明】
【０００１】
【発明の属する技術分野】
この発明は、例えば、ＩＣ（Ｉｎｔｅｇｒａｔｅｄ　Ｃｉｒｃｕｉｔ）カードを良品カードと不良品カードとに分別して収容するためのカード分別収容装置に関する。
【０００２】
【従来の技術】
現在、各種データを記録することが可能なＩＣカードや磁気カードなどのカードが広く用いられている。これらのカードは、利用者に配布される前に、記録印刷装置によって記憶手段へのデータの記録や、カード表面への印刷などが行われる。この種の記録印刷装置においては、データを記録する際に、正常にデータの読み書きができるカード（以下、ＯＫカードと記す）か、できないカード（以下、ＮＧカードと記す）かを検出し、検出結果に応じて、ＮＧカードを取り除くようになっている。
【０００３】
ここで、図６は、従来の記録印刷装置の構成を示す図である。この図に示されるように、記録印刷装置３００は、搬送路３１５にカード１０を供給するカードホッパ部３１０を含んでいる。カードホッパ部３１０から供給されたカード１０は、搬送路３１５によって、まず、カード１０に対してデータを読み書きするリーダライタ部３２０に搬入される。リーダライタ部３２０においては、カード１０が搬入されると、データの読み出しあるいは書き込み時に、該カードがＯＫカードか否かを検出する。そして、カード１０は、引き続き搬送路３１５によって、回転機構３３０まで搬送される。
【０００４】
回転機構３３０においては、リーダライタ部３２０における検出結果に応じて、搬送されたカード１０を分別すべく、２通りの動作を行なう。まず、検出結果が、ＯＫカードである旨を示す場合、回転機構３３０は、カード１０を、搬送路３３５Ａに供給可能な位置まで回転させた後、搬送路３３５Ａに供給する。供給されたカード１０は、搬送路３３５Ａにより、印刷部３４０に搬入され、印刷部３４０において、表面に印刷される。そして、印刷されたカード１０は、引き続き搬送路３３５Ａにより、記録印刷装置３００の前面（搬送路３３５Ａの下流側）に位置するスタッカ３５０Ａまで搬送され、スタッカ３５０Ａに収容される。一方、検出結果が、ＮＧカードである旨を示す場合、回転機構３３０は、カード１０を搬送路３３５Ｂに供給可能な位置まで回転させた後、カード１０を搬送路３３５Ｂに供給する。そして、カード１０は、搬送路３３５Ｂにより、記録印刷装置３００の後面（搬送路３３５Ａの上流側）に位置するスタッカ３５０Ｂまで搬送され、スタッカ３５０Ｂに収容される。
【０００５】
【発明が解決しようとする課題】
しかしながら、このような記録印刷装置３００においては以下のような問題があった。まず、カード１０の種類に応じて、カード１０の搬送経路を変更する回転機構３３０は、その構成が複雑であるため、記録印刷装置３００の構成が複雑なものとなる。また、回転機構３３０には、カード１０を回転させるための空間が必要であり、回転機構３３０を搭載すると、記録印刷装置３００が大型化してしまう。さらに、記録印刷装置３００においては、ＯＫカード用のスタッカ３５０Ａは前面に位置する一方、ＮＧカード用のスタッカ３５０Ｂは後面に位置する。このため、ユーザは、記録印刷装置３００の前面と後面の各々に対して、スタッカに収容されたカード１０の収集や、その収容状況の点検などを行なわなければならず、それらの作業が煩雑であった。
【０００６】
本発明は、上述した事情に鑑みてなされたものであり、その目的とするところは、小型化が可能であり、カードの収集および収容状況の点検にかかる作業を簡略化することが可能なカード分別収容装置を提供することにある。
【０００７】
【課題を解決するための手段】
上記目的を達成するため、本発明にかかるカード分別収容装置は、第１または第２属性のいずれかであることを判別されたカードを搬送する搬送路の終端に設けられ、搬送されたカードが第１属性である場合に、当該カードを収容する第１の収容手段と、前記搬送路を通して搬送されたカードが第２属性である場合に、当該カードが前記第１の収容手段に収容されるのを、前記搬送路の終端近傍において阻害する阻害機構と、前記阻害機構により阻害されたカードを収容する第２の収容手段とを備えることを特徴とする。
このような構成によれば、カードを分別するにあたり、カードの搬送経路を変更する機構などが不要となる。これにより、カード分別収容装置を搭載した機器の構成が簡易なものとなり、また、該機器が小型化されることとなる。
【０００８】
好ましい様態において、前記第２の収容手段は、前記第１の収容手段の上方において、前記第１の収容手段に対して回動自在に支持され、前記阻害機構は、前記第２の収容手段を回動させる。
このような構成によれば、第２の収容手段が第１の収容手段の上方に配置されるため、第１の収容手段と第２の収容手段とが近接し、分別されたカードの収集や点検にかかる作業が簡略化されることとなる。
【０００９】
【発明の実施の形態】
以下、本発明における実施形態について図面を参照して説明する。
図１は、本実施形態における記録印刷装置の構成を示す図である。この図に示されるように、記録印刷装置２００は、複数のカード１０を収容するカードホッパ部２１０を有している。カードホッパ部２１０に収容されるカード１０は、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）などを含むカードであり、記録印刷装置２００において、データ記録の他に、表面への印刷が行なわれる。カードホッパ部２１０は、収容するカード１０を１枚づつ搬送路２１５に供給する。搬送路２１５は、例えばローラなどから構成され、カードホッパ部２１０から供給されたカード１０を、リーダライタ部２２０、印刷部２３０および分別収容部１００の各々に、この順で搬送する。
【００１０】
リーダライタ部２２０は、カード１０に対してデータを読み書きする装置であり、搬送路２１５によりカード１０が搬入されると、カード１０に対するデータの読み出し処理あるいは書き込み処理を実行する。この際、リーダライタ部２２０は、検出部２２１により、該カード１０が、ＯＫカードであるか否かを検出し、検出結果を検出信号Ｓ１として、印刷部２３０および分別収容部１００の各々に供給する。以降の説明においては、ＯＫカードの符号を１０ａと記し、ＮＧカードの符号を１０ｂと記す。
【００１１】
さて、カード１０の種類（ＯＫカード、ＮＧカード）が検出されたカード１０は、引き続き搬送路２１５により、印刷部２３０まで搬送される。印刷部２３０は、搬送路２１５によりカード１０が搬入されると、検出信号Ｓ１に応じて、ＯＫカード１０ａに対しては、表面に文字や画像などを印刷する一方、ＮＧカード１０ｂに対しては、印刷しない。この後、ＯＫカード１０ａあるいはＮＧカード１０ｂは、搬送路２１５によって、印刷部２３０から分別収容部１００の近傍まで搬送される。
【００１２】
搬送路２１５の終端部２１５ｅは、分別収容部１００の近傍に位置しており、搬送路２１５は、終端部２１５ｅまでカード１０を搬送すると、カード１０に搬送方向の付勢力を与えつつ、カード１０の保持を解放する。分別収容部１００においては、搬送路２１５による保持が解放され、落下するＯＫカード１０ａおよびＮＧカード１０ｂの各々を、検出信号Ｓ１に応じて分別して収容する。
【００１３】
図２は、分別収容部１００の上面図であり、図３は、分別収容部１００における主要構成の側面図である。これら図に示されるように、分別収容部１００は、記録印刷装置２００に固定された駆動機構１７０と、記録印刷装置２００から着脱自在なスタッカ機構１０６とを備えている。このうち、スタッカ機構１０６は、ＯＫカード１０ａを収容するスタッカ１１０Ａと、スタッカ１１０Ａの内部において回動自在に支持され、ＮＧカード１０ｂを収容するスタッカ１１０Ｂとを有している。一方、駆動機構１７０は、検出信号Ｓ１に応じて、スタッカ１１０Ｂを駆動するための機構を有している。
【００１４】
スタッカ機構１０６は、スタッカ１１０Ａの後板１２２Ａが、搬送路２１５の終端部２１５ｅに近接するように、ユーザによって記録印刷装置２００に載置される。なお、記録印刷装置２００には、載置されたスタッカ機構１０６の水平方向の移動を係止するための係止部材（不図示）が設けられている。
【００１５】
図２に示されるように、スタッカ１１０Ａの側方（図中下方）には、扉シャフト１０２（二点鎖線）によって、図中Ａ１方向に回動可能に保持された扉１０４（二点鎖線）が設けられている。また、スタッカ１１０Ａの後板１２２Ａには、終端部２１５ｅから落下するカード１０がスタッカ１１０Ａ内に移動できるように、図示せぬ切り抜きが形成されている。スタッカ１１０Ａの底板１２４Ａは、図３に示すように、前方より後方が高くなるように、水平面に対して傾斜している。
【００１６】
図２および図３において、スタッカ１１０Ｂは、底板１１２Ｂ、前板１１６Ｂおよび後板１１４Ｂからなるトレイ状をしている。スタッカ１１０Ｂの底板１１２Ｂには、下方に向けて２枚の側板１１８Ｂが対向するように設けられており、各側板１１８Ｂの前方には、孔部１１９Ｂが形成されている。この孔部１１９Ｂには、スタッカ１１０Ａの全幅亘って設けられたスタッカシャフト１３０が貫通されており、スタッカ１１０Ｂは、スタッカシャフト１３０を支軸として回動可能に保持されている。また、スタッカ１１０Ｂの一方の側板１１８Ｂ（図２中下方の側板）には、外側に向けて、円柱状の凸部１１７Ｂが設けられている。凸部１１７Ｂが図３中Ａ３方向に押動されると、スタッカ１１０Ｂは、その後端が下降するように回動する。なお、図示しないが、スタッカ１１０Ａの側板１１８には、凸部１１７Ｂが貫通し、凸部１１７ＢのＡ３方向の移動を許容する孔が形成されている。
【００１７】
スタッカ１１０Ａの一方の側板１２０Ａ（図２中下方の側板）近傍には、支持部材１５０とスタッカレバー１４０とが、この順で配置されている。このうち、支持部材１５０は、図３に示されるように略「Ｌ」字状をした平板であり、スタッカ１１０Ａの側板１２０Ａ（図２参照）に固定されている。支持部材１５０の上方における前後方向中央にはバネ止部１５２が設けられており、バネ止部１５２には、孔部１５３が形成されている。この孔部１５３には、バネ１６０の一端が取り付けられている。また、支持部材１５０の上方における後端近傍には、ヒンジピン１５４が設けられており、ヒンジピン１５４の下方には、ガイドピン１５６が設けられている。これらのピンは、スタッカレバー１４０に形成された孔などと係合する。
【００１８】
スタッカレバー１４０は、略「Ｌ」字状をした部材であり、上方における後端近傍にヒンジ孔１４２が形成されている。このヒンジ孔１４２には、支持部材１５０に設けられたヒンジピン１５４が貫通されており、スタッカレバー１４０は、ヒンジピン１５４を支点として回動可能に保持されている。ヒンジ孔１４２の上方にはバネ止部１４７が設けられている。このバネ止部１４７には、孔部１４８が形成されており、孔部１４８には、支持部材１５０のバネ止部１５２に一端が取り付けられたバネ１６０の他端が取り付けられている。このような構成の下、バネ１６０は、バネ止部１４７を介して、スタッカレバー１４０に図３中反時計回りの回動力を加える。また、スタッカレバー１４０の上方における前端には、長方形の切抜１４４が形成されている。この切抜１４４は、上述したスタッカ１１０Ｂに設けられた凸部１１７Ｂと係合する。
【００１９】
スタッカレバー１４０の後方の下端近傍には、略前後方向に伸びた長方形の切抜１４６が形成されている。この切抜１４６は、支持部材１５０に設けられたガイドピン１５６と係合しており、スタッカレバー１４０の回動時において、その回動を案内するとともに、スタッカレバー１４０の横方向（図３における紙面垂直方向）のブレを防止する。また、図２に示されるように、スタッカレバー１４０は、その下端後方に、後板１４９を有している。この後板１４９は、駆動機構１７０に含まれるカム１７８と当接するように位置しており、バネ１６０により回動力が付与されたスタッカレバー１４０は、カム１７８と当接した状態で静止し、カム１７８の動きに応じて、スタッカ１１０Ｂを回動させる。言い換えれば、スタッカ機構１０６は、スタッカレバー１４０と、駆動機構１７０に含まれるカム１７８との係合のみにより、記録印刷装置２００と機能的に連結されている。
【００２０】
続いて、スタッカレバー１４０を介してスタッカ１１０Ｂを駆動する駆動機構１７０について説明する。図２および図３において、駆動機構１７０は、検出信号Ｓ１に応じて駆動するモータ１７１を有している。モータ１７１の回転軸は、カムシャフト１７６に連結されたギア１７４と係合するウォーム１７２を保持しており、モータ１７１の回転力をカムシャフト１７６に伝達する。カムシャフト１７６には、カム１７８が固定されており、カムシャフト１７６と連動して回動する。
【００２１】
また、駆動機構１７０は、カム１７８が、図３における実線で示される位置（以下、ＯＫ位置と記述する）にあることを検出するＯＫ位置センサ、および、カム１７８が、二点鎖線で示される位置（以下、ＮＧ位置と記述する。）にあることを検出するＮＧ位置センサを備えている。図２に示されるように、カムシャフト１７６の上方には、ＯＫ位置センサ１８０を支持するための支持板１８２が備えられている。ＯＫ位置センサ１８０は、例えば、受光素子と発光素子を含む光センサ、および、カム１７８の位置に応じて、光センサにおける光軸を遮断する遮光板などから構成され、カム１７８がＯＫ位置（実線）にあるか否かを示す信号を、検出信号Ｓ２としてモータ１７１に供給する。一方、ＮＧ位置センサは、特に図示はしないが、ＯＫ位置センサ１８０と同様な構成をしており、カムシャフト１７６の下方にて、カム１７８がＮＧ位置（二点鎖線）にあるか否かを示す信号を、検出信号Ｓ３としてモータ１７１、および、記録印刷装置２００の制御部（不図示）に供給する。
【００２２】
また、カムシャフト１７６の近傍には、満杯センサ１８４が設けられている。この満杯センサ１８４は、ＯＫ位置センサ１８０と同様の構成をしており、スタッカレバー１４０の後板１４９の位置が、図中二点鎖線で示される位置にあるか否かを検出する。そして、満杯センサ１８４は、その検出結果を、記録印刷装置２００の制御部に検出信号Ｓ４として供給する。
【００２３】
このような構成の下、分別収容部１００においては、以下のようにして、搬送路２１５の終端部２１５ｅから落下するＯＫカード１０ａおよびＮＧカード１０ｂを分別して収容する。
まず、落下するカード１０が、ＯＫカード１０ａであることを示す検出信号Ｓ１が、モータ１７１に供給されるならば、モータ１７１は、カム１７８が図３におけるＯＫ位置（実線）となるように、カムシャフト１７６を駆動する。この際、モータ１７１は、カム１７８がＯＫ位置（実線）にあるか否かを示す検出信号Ｓ２に応じて、カムシャフト１７６を回動する。このように、カム１７８が実線で示される位置となると、スタッカレバー１４０およびスタッカ１１０Ｂは、実線で示される位置となる。この状況の下、終端部２１５ｅからＯＫカード１０ａが落下すると、ＯＫカード１０ａは、図中矢印で示す軌跡にて、スタッカ１１０Ａに収容される。この際、スタッカ１１０Ａの底板１２４Ａが傾斜しているため、ＯＫカード１０ａは、その前端が、前板１２６Ａと当接するように収容される。これにより、収容されたＯＫカード１０ａは、揃えられることとなる。
【００２４】
一方、落下するカード１０が、ＮＧカード１０ｂであることを示す検出信号Ｓ１が、モータ１７１に供給されるなら、モータ１７１は、カム１７８が、ＯＫ位置（実線）から、ＮＧ位置（二点鎖線）に移動するように、カムシャフト１７６を回動する。この際、モータ１７１は、カム１７８がＮＧ位置（二点鎖線）にあるか否かを示す検出信号Ｓ３に応じて、カム１７８を駆動する。この駆動によりカム１７８の前端が後方に移動すると、図４に示されるように、スタッカレバー１４０は、バネ１６０による付勢力により、移動するカム１７８に後板１４９が接した状態で、反時計回りに回動する。この回動により、スタッカレバー１４０の切抜１４４と係合する凸部がＡ３方向に移動し、スタッカ１１０Ｂが、スタッカシャフト１３０を支軸として、その後端が下降するように回動する。この結果、スタッカ１１０Ｂの底板１１２Ｂは、搬送路２１５の終端部２１５ｅから落下するカード１０の軌跡に位置するよう移動する。言い換えれば、スタッカ１１０Ｂは、スタッカレバー１４０により、ＮＧカード１０ｂがスタッカ１１０Ａに収容されるのを阻害するように回動される。この状況の下、終端部２１５ｅからＮＧカード１０ｂが、搬送方向に進みつつ落下すると、該ＮＧカード１０ｂは、スタッカ１１０Ｂの底板１１２Ｂに案内されながら、スタッカ１１０Ｂに収容されることとなる。
【００２５】
なお、スタッカ１１０Ａに収容されたＯＫカード１０ａ群の上端が、図３中二点鎖線で示されるスタッカ１１０Ｂの位置を越えていれば、カム１７８が二点鎖線の位置まで駆動されたとしても、スタッカ１１０Ｂは、二点鎖線の位置まで回動することができない。このとき、カム１７８の前端とスタッカレバー１４０の後板１４９とは、離間している。このような状況においては、ＮＧ位置センサから記録印刷装置２００の制御部に供給される検出信号Ｓ３は、カム１７８がＮＧ位置（二点鎖線）にあることを示すが、満杯センサ１８４から該制御部に供給される検出信号Ｓ４は、スタッカレバー１４０の後板１４９が二点鎖線の位置にあることを示さない。この場合、記録印刷装置２００の制御部においては、正常にカード１０の分別ができないため、カード１０の記録および印刷にかかる処理を停止するとともに、例えば、警告灯などの告知手段により、ユーザにスタッカ１１０Ａが満杯であることを告知する。
【００２６】
以上のようにして分別および収容されたカード１０を収集する場合、ユーザは、記録印刷装置２００の前面に載置されたスタッカ機構１０６を回収することにより、ＯＫカード１０ａおよびＮＧカード１０ｂを同時に収集する。この際、ユーザは、スタッカ機構１０６を持ち上げるのみで、回収することができる。さらに詳述すると、電源供給や信号伝送のためのケーブルは、スタッカ機構１０６と記録印刷装置２００との間に設けられていない。このため、スタッカ機構１０６の着脱時においては、ケーブルのコネクタの着脱といった煩雑な作業が不要となり、カード１０の回収が簡易なものとなる。
そして、ユーザは、スタッカ１１０Ａに収容されたＯＫカード１０ａについては、扉１０４を開けて取り出す一方、スタッカ１１０Ｂに収容されたＮＧカード１０ｂについては、スタッカ機構１０６の上方から取り出す。
【００２７】
このように、記録印刷装置２００によれば、カード１０の収集や、収容状況の点検時において、記録印刷装置２００の前側に設けられたスタッカ機構１０６のみに対して作業を行なえばよい。このため、印刷記録装置の前面と後面とに対して作業を行なわなければならない従来の記録印刷装置３００（図６参照）と比較して、それらの作業量が軽減されることとなる。
【００２８】
ところで、弾性変形するカードを分別する機構においては、該カードの搬送経路を変更するにあたり、一般に、ローラなどの側面に沿うようにカード１０を撓ませて搬送方向を変更する方法が用いられる。しかし、ＩＣカードなどのカード１０は、弾性変形しにくいため、このような方法を採用することができない。このため、従来のカード１０を分別する機構にあっては、カード１０を撓ますことなく搬送方向を変更する回転機構３３０（図６参照）が構成要素として必須であった。しかし、回転機構３３０は、その構成が複雑であり、配置のためのスペースを要するため、カード１０を分別する機構の構成が複雑なものとなり、大型化してしまうという問題が生じる。これに対し、分別収容部１００によれば、スタッカ１１０Ａの上方にて、回動するスタッカ１１０Ｂを備えることのみで、ＯＫカード１０ａとＮＧカード１０ｂとを分別して収容することができる。従って、記録印刷装置から回転機構３３０を省略することができ、その結果、記録印刷装置２００の構成が簡易なものとなり、また、記録印刷装置を小型化することが可能となる。
【００２９】
さらに、本実施形態における記録印刷装置２００によれば、カードホッパ部２１０から、リーダライタ部２２０、印刷部２３０および分別収容部１００にいたるまでの搬送パスライン（搬送路２１５）を一直線上にレイアウトすることができる。これにより、従来の記録印刷装置３００と比較して、カード１０の搬送にかかる機構が簡易なものとなり、コンパクトかつ安価に記録印刷装置を製作することができる。
【００３０】
なお、本発明は、上述した実施形態に限られず、上記実施形態に種々の応用・改良変形等を加えることが可能である。
たとえば、実施形態においては、分別収容部１００に、回動自在なスタッカ１１０Ｂを設ける構成としたが、ＮＧカード１０ｂの落下時に、該ＮＧカード１０ｂを、スタッカ１１０Ｂに収容されるよう案内する機構を設ける構成としても良い。図５は、そのような分別収容部の一例を示す図である。さらに詳述すると、図５（ａ）は、ＯＫカード１０ａの収容時の分別収容部を示す図であり、図５（ｂ）は、ＮＧカード１０ｂの収容時の分別収容部を示す図である。なお、図５においては、モータなどの駆動機構は図示されていない。これらの図に示されるように、スタッカ１９０は、仕切板１９５によって、ＯＫカード１０ａを収容するためのスタッカ１９１Ａと、ＮＧカード１０ｂを収容するためのスタッカ１９１Ｂとに分かれている。スタッカ１９０は、搬送路２１５の終端部２１５ｅから落下するカード１０が、スタッカ１９１Ａに収容されるように載置される。また、仕切板１９５の上端には、案内機構１９３が、支点部１９２を支点として、図５（ａ）中Ａ６で示される方向に回動できるよう支持されている。案内機構１９３は、底板１９４と２つの側板１９６から構成される。
【００３１】
このような構成の下、分別収容部においては、以下のようにして、搬送路２１５の終端部２１５ｅから落下するＯＫカード１０ａおよびＮＧカード１０ｂを分別して収容する。まず、ＯＫカード１０ａが落下する場合には、案内機構１９３は、図５（ａ）に示されるように、その底板１９４が、落下の軌跡に位置しないように、略立った状態となる。このとき、落下するＯＫカード１０ａは、スタッカ１９１Ａに収容される。
【００３２】
一方、ＮＧカード１０ｂが落下する場合には、図５（ｂ）に示されるように、案内機構１９３は、スタッカ１９１Ａの上方にて、落下するＮＧカード１０ｂの軌跡に底板１９４が位置するように回動する。この際、底板１９４は、終端部２１５ｅ側の端部１９８が、スタッカ１９１Ｂ側の端部１９７より上方に位置するように、水平面に対して傾斜する。これにより、落下するＮＧカード１０ｂは、案内機構１９３によりスタッカ１９１Ａへの収容を阻害されるとともに、底板１９４に案内されつつ、スタッカ１９１Ｂに収容されることとなる。
この構成においても、上記実施形態と同様に、記録印刷装置２００の構成が簡略化され、記録印刷装置２００が小型化するという効果が得ることができる。
【００３３】
また、上述した実施形態においては、スタッカ１１０Ｂを回動させることによりカードを分別する分別収容部１００を説明したが、これに限られない。例えば、スタッカ１１０Ｂを鉛直方向や、水平方向などに移動させ、ＮＧカード１０ｂの落下時に、ＮＧカード１０ｂがスタッカ１１０Ｂに収容される構成としても良い。
【００３４】
くわえて、上述した実施形態においては、カードホッパ部２１０から供給されるカード１０を、ＯＫカードか否かに応じて分別したが、カード１０の分別に関するカテゴリは、これに限られず、例えば、カード１０に記録したデータ内容などに応じて分別しても良い。
【００３５】
【発明の効果】
以上説明したように本発明によれば、小型化が可能であり、カードの収集および収容状況の点検のための作業を簡略化することが可能なカード分別収容装置が提供される。
【図面の簡単な説明】
【図１】本発明の実施形態における記録印刷装置の構成を示す図である。
【図２】同記録印刷装置に含まれる分別収容部の上面図である。
【図３】同分別収容部の主要構成の側面図である。
【図４】同分別収容部の主要構成の側面図である。
【図５】本発明の変形例にかかる分別収容部の斜視図である。
【図６】従来の記録印刷装置の構成を示す図である。
【符号の説明】
１００…分別収容部、１０２…扉シャフト、１０４…扉、１１０Ｂ，１１０Ａ…スタッカ、１１２Ｂ…底板、１１４Ｂ…後板、１１６Ｂ…前板、１１７Ｂ…凸部、１１８Ｂ…側板、孔部…１１９Ｂ、１２０Ａ…側板、１３０…スタッカシャフト、１４０…スタッカレバー、１４２…ヒンジ孔、１４４…切抜、１４６…切抜、１４７…バネ止部、１４９…後板、１５０…支持部材、１５２…バネ止部、１５４…ヒンジピン、１５６…ガイドピン、１６０…バネ、１７０…駆動機構、１７１…モータ、１７４…ギア、１７６…カムシャフト、１７８…カム、１８０…ＯＫ位置センサ、１８４…満杯センサ、１９１Ａ，１９１Ｂ…スタッカ、１９２…支点部、１９３…案内機構、１９４…底板。
【図１】
2004059200.tif 000003
【図２】
2004059200.tif 000004
【図３】
2004059200.tif 000005
【図４】
2004059200.tif 000006
【図５】
2004059200.tif 000007
【図６】
2004059200.tif 000008